(57)【要約】【課題】  相互通信が可能な通信装置との間に確立した通信路を利用して取得した情報を元に、情報処理装置同士がデータ通信を行えるようにする通信システムおよびプログラムを提供する。【解決手段】  通信装置（１００Ａ、１００Ｂ）間で第１通信路を確立し、各通信装置がこの第１通信路によって共有した当該通信装置の近傍に存在して相互通信が可能なネットワークノードのネットワーク情報を用いて、各通信装置に搭載するサービス制御装置同士が当該ノード間で第２通信路を確立する。この第２通信路を用いてノード同士による情報通信を行う。【選択図】図１
2009225166.tif 000002
【特許請求の範囲】
【請求項１】
第１の通信装置と、
前記第１の通信装置と第１の網を介して通信可能な第２の通信装置と、
前記第１の通信装置の周辺に位置する１または複数の第１の周辺装置と、
前記第２の通信装置の周辺に位置し、前記第１の周辺装置と第２の網を介して通信可能な１または複数の第２の周辺装置と
を備え、
前記第１の通信装置は、
前記第１の周辺装置から前記第２の網における通信識別情報を取得する取得手段と、
前記取得手段によって取得した前記通信識別情報を前記第２の通信装置に通知する通知手段と
を具備し、
前記第２の周辺装置は、
前記第２の通信装置から前記通信識別情報を取得して、該通信識別情報に基づき前記第１の周辺装置との間に前記第２の網を介する通信路を確立する通信路確立手段
を具備する通信システム。
【請求項２】
前記第１の通信装置は、
前記１または複数の第１の周辺装置の中の所望の第１の周辺装置を該第１の周辺装置との間の近距離通信により検索する検索手段
を具備し、
前記取得手段は、
前記検索手段によって検索した第１の周辺装置に対して前記通信識別情報の取得要求を送信することにより該第１の周辺装置の前記通信識別情報を取得する請求項１記載の通信システム。
【請求項３】
前記第１の周辺装置と前記第２の周辺装置は、
ネットワークを介して接続され、
前記通信識別情報は、
前記ネットワークのアドレス情報である請求項１記載の通信システム。
【請求項４】
前記第１の通信装置および前記第２の通信装置は、
携帯電話機であり、
前記第１の周辺機器は、
プリンタであり、
前記第２の周辺機器は、
前記プリンタに対して印刷情報を送信するコンピュータである請求項１記載の通信システム。
【請求項５】
前記第１の通信装置および前記第２の通信装置は、
ネットワークを介して接続されるコンピュータであり、
前記第１の周辺機器および前記第２の周辺機器は、
電話回線を介して接続される電話会議装置である請求項１記載の通信システム。
【発明の詳細な説明】
【技術分野】
【０００１】
本発明は、通信システムおよびプログラムに関する。
【背景技術】
【０００２】
装置間の相互通信では通信相手となる端末を通信上、認識することによりその相手先となる端末との間で送受信を行う。このため、通信相手となる端末を認識する方法が必要となり、予め通信相手の識別情報や通信方法を設定しておく若しくは一覧として示される通信相手から所望の相手を選択することで当該通信相手の情報を取得する。
【０００３】
また、ＤＨＣＰ（Dynamic Host Configuration Protocol）などのプロトコルに対応する端末の場合、ブロードキャストすることにより該当する通信先より応答を得ることができ、通信相手となる端末の情報を取得することも可能である。通信相手を識別する情報として、例えばＩＰアドレスや電話番号、端末識別情報等がある。
【０００４】
特許文献１に開示された従来技術では、移動端末にコンテキストを転送するコンテキスト転送マネージャが移動端末から位置情報を受信し、該位置情報に基づき移動端末の近傍アクセスネットワークを決定でき、さらに、コンテキスト転送マネージャは、近傍アクセスネットワークおよび移動端末に対し少なくとも１つのコンテキストを生成し、近傍アクセスネットワークおよび移動端末の各々にコンテキストを送信することも可能にしている。
【０００５】
この技術では、移動端末が２つの異なるアクセス技術を採用するアクセスネットワーク間でハンドオーバを実行した場合においても、コンテキスト転送を可能にしている。また、移動端末が移動できるアクセスネットワーク（すなわち、近傍アクセスネットワーク）候補において使用されるアクセス技術を考慮する際、異なるアクセス技術により使用されるそれぞれのプロトコルに適合できる動的なコンテキストを生成することも可能である。
【特許文献１】特開２００７−５１１１４７
【発明の開示】
【発明が解決しようとする課題】
【０００６】
上記のような従来技術では、予め管理対象となる装置やネットワークの情報を記憶しておき、移動端末の位置情報を受信することでその位置情報に基づく最適な情報をその移動端末に提供することで移動端末が装置やネットワークと通信できるようにしている。
【０００７】
しかしながら、ＧＰＳ（Global Positioning System）等の現行の位置情報を取得する方法では、地図上での建物の位置などは取得可能であるものの、それよりも詳細な精度の情報を取得することは技術的に難しい。また、オフィスビル内部などはその情報が公開されておらず、移動端末の位置情報だけでは通信対象の装置やネットワークを特定することは困難である。
【０００８】
本発明は、相互通信が可能な通信装置との間に確立した通信路を利用して取得した情報を元に、情報処理装置同士がデータ通信を行えるようにする通信システムおよびプログラムを提供することを目的とする。
【課題を解決するための手段】
【０００９】
上記目的を達成するため、請求項１の発明は、第１の通信装置と、前記第１の通信装置と第１の網を介して通信可能な第２の通信装置と、前記第１の通信装置の周辺に位置する１または複数の第１の周辺装置と、前記第２の通信装置の周辺に位置し、前記第１の周辺装置と第２の網を介して通信可能な１または複数の第２の周辺装置とを備え、前記第１の通信装置は、前記第１の周辺装置から前記第２の網における通信識別情報を取得する取得手段と、前記取得手段によって取得した前記通信識別情報を前記第２の通信装置に通知する通知手段とを具備し、前記第２の周辺装置は、前記第２の通信装置から前記通信識別情報を取得して、該通信識別情報に基づき前記第１の周辺装置との間に前記第２の網を介する通信路を確立する通信路確立手段を具備する。
【００１０】
また、請求項２の発明は、請求項１の発明において、前記第１の通信装置は、前記１または複数の第１の周辺装置の中の所望の第１の周辺装置を該第１の周辺装置との間の近距離通信により検索する検索手段を具備し、前記取得手段は、前記検索手段によって検索した第１の周辺装置に対して前記通信識別情報の取得要求を送信することにより該第１の周辺装置の前記通信識別情報を取得する。
【００１１】
また、請求項３の発明は、請求項１の発明において、前記第１の周辺装置と前記第２の周辺装置は、ネットワークを介して接続され、前記通信識別情報は、前記ネットワークのアドレス情報である。
【００１２】
また、請求項４の発明は、請求項１の発明において、前記第１の通信装置および前記第２の通信装置は、携帯電話機であり、前記第１の周辺機器は、プリンタであり、前記第２の周辺機器は、前記プリンタに対して印刷情報を送信するコンピュータである。
【００１３】
また、請求項５の発明は、請求項１の発明において、前記第１の通信装置および前記第２の通信装置は、ネットワークを介して接続されるコンピュータであり、前記第１の周辺機器および前記第２の周辺機器は、電話回線を介して接続される電話会議装置である。
【発明の効果】
【００１４】
本発明の請求項１によれば、相互通信が可能な通信装置との間に確立した通信路を利用して取得した情報を元に、情報処理装置同士がデータ通信を行えるようになるという効果を奏する。
【００１５】
また、請求項２によれば、有効な情報処理装置を特定して情報通信が可能になるという効果を奏する。
【００１６】
また、請求項３によれば、ネットワーク上にある第１の周辺装置と第２の周辺装置がネットワークのアドレス情報を用いて相互通信できるようになるという効果を奏する。
【００１７】
また、請求項４によれば、携帯電話機同士で交換した情報を用いてプリンタとそのプリンタに対して印刷情報を送信するコンピュータとが通信できるようになるという効果を奏する。
【００１８】
また、請求項５によれば、ネットワークを介して接続されるコンピュータ間で交換した情報を用いて電話会議装置間で通信ができるようになるという効果を奏する。
【発明を実施するための最良の形態】
【００１９】
以下、本発明に係わる通信システムおよびプログラムの一実施例を添付図面を参照して詳細に説明する。
【実施例】
【００２０】
図１は、本発明の実施の形態における通信システムおよびプログラムを適用して構成した通信システムのシステム構成図の一例である。
【００２１】
図１において、この通信システムは、音声通話やデータ通信などにより情報交換を行う通信装置（１００Ａ、１００Ｂ）が２台接続された構成であり、有線若しくは無線によって相互通信可能である。
【００２２】
さらに、各通信装置（１００Ａ、１００Ｂ）の近傍には通信ネットワークが存在し、通信装置１００Ａの近傍には、クライアントＰＣ１（１０２）、撮影通信機器Ａ１０３、プリンタＡ１０４を有するネットワークＡが構築され、また通信装置１００Ｂの近傍には、複合機Ｂ１０５、クライアントＰＣ２（１０６）、撮影通信機器Ｂ１０７を有するネットワークＢが構築されている。
【００２３】
通信装置１００Ａは、ネットワークＡに属するクライアントＰＣ１（１０２）、撮影通信機器Ａ１０３、プリンタＡ１０４の各ノードと相互通信が可能であり、通信装置１００Ｂは、ネットワークＢに属する複合機Ｂ１０５、クライアントＰＣ２（１０６）、撮影通信機器Ｂ１０７の各ノードと相互通信が可能である。
【００２４】
また、ネットワークＡとネットワークＢは、公衆回線網などによって接続されており、すなわちＬＡＮ（Local Area Network）およびＷＡＮ（Wide Area Network）などを構成する。
【００２５】
通信装置１００Ａ、通信装置１００Ｂは、携帯電話、ノードＰＣ、ＰＤＡ（Personal Digital Assistant）などの携帯情報端末のほか、カメラ機能を有する撮影通信装置、電話会議装置などによって構成されており、各通信装置（１００Ａ、１００Ｂ）間で交換した情報を元にネットワークＡとネットワークＢに属するノード間の通信を行えるようにしたサービス制御装置を搭載する。
【００２６】
このサービス制御装置は、通信装置間で接続して確立した通信路を利用して交換した情報を、ネットワークＡのノードおよびネットワークＢのノードに提供することにより各ノード間で通信路を確立できるようにしている。ノード間の通信路が確立されると、通信装置を介さずノード間で情報交換を行う。
【００２７】
例えば、ネットワークＡに属するノードのクライアントＰＣ１とネットワークＢに属するノードの複合機Ｂ１０５との間に通信路が確立されると、この場合クライアントＰＣ１（１０２）をホスト装置として複合機Ｂ１０５から印刷出力を行うことによる情報交換が可能になる。
【００２８】
このとき、サービス制御装置は各ネットワークのノードと情報交換を行うために無線通信や赤外線通信などの通信によってノード発見要求を各ノードへと送信し、これらを受信した各ノードからのノード発見応答を受信する。
【００２９】
なお、通信装置１００Ａと通信装置１００Ｂとの通信路を「第１通信路」と示し、この第１通信路を介して取得した情報を元に、ネットワークＡに接続されたノードとネットワークＢに接続されたノードとが通信を行う通信路を「第２通信路」と示す。
【００３０】
「第１通信路」は、電話通信網やデータ通信網などの通信網によって確立される通信路であり、「第２通信路」は、ネットワークＡとネットワークＢとのデータ通信が可能なデータ通信網によって確立される通信路である。
【００３１】
また、各通信路は複数の通信方式によって同時に複数のセションを確立するマルチセション構成とすることも可能である。すなわち、第１通信路では電話通信網による音声通話のセションとともにデータ通信路によるデータ送受信のセションを確立する構成とすることも可能である。
【００３２】
通信装置１００Ａと通信装置１００Ｂとの間に確立された第１通信路を用いて、ネットワークＡおよびネットワークＢとの間で通信を行うノード間の情報が交換されると、この情報を用いて第２通信路を確立し、ノード間の通信を行う。
【００３３】
このときの通信装置１００Ａおよび通信装置１００Ｂに搭載されたサービス制御装置の詳細な機能構成を図２に示し、以下で説明する。
【００３４】
図２は、本発明の実施の形態における通信システムを構成する通信装置に設けられたサービス制御装置の詳細な構成を示すブロック図である。
【００３５】
図２に示すサービス制御装置は、図１に示す各通信装置（通信装置１００Ａ、通信装置１００Ｂ）に搭載されており、通信部２０、通信確立部２１、デバイス検索制御部２２、記憶部２３、デバイス間通信情報設定部２４、サービス制御部２５、操作部２６、表示部２７を具備して構成する。
【００３６】
すなわち、図２に示すような構成からなるサービス制御装置間（図１に示す例ではサービス制御装置１０１Ａとサービス制御装置１０１Ｂ）で相互に通信を行う。以下では、サービス制御装置１０１Ｂを搭載する通信装置１００Ｂの近傍のネットワークＢに属するノードの複合機Ｂに対して、サービス制御装置１０１Ａを搭載する通信装置１００Ａの近傍のネットワークＡに属するノードのクライアントＰＣ１から印刷出力する場合の例を用いて当該サービス制御装置の構成について説明する。
【００３７】
まず、サービス制御装置１０１Ａとサービス制御装置１０１Ｂの通信部２０は、他方の通信装置のサービス制御装置に設けられた通信部２０との間で通信処理を行い、サービス制御装置間における通信インターフェースである。この通信部２０は、有線および無線で情報通信が可能である。
【００３８】
相互の通信部２０で通信が行われると、通信確立部２１が通信を確立し、また保持する（セションを保持する）。これにより、サービス制御装置間で通信路が確立された状態となり、この通信路を上記の図１を用いた説明では「第１通信路」と示している。
【００３９】
このようにして第１通信路が確立された状態で、サービス制御装置１０１Ｂの操作部２６を操作することによりネットワーク上のノード間での通信を可能にするサービスの開始を指示すると、サービス制御装置１０１Ｂのサービス制御部２５は、通信部２０を介してサービスの開始要求をサービス制御装置１０１Ａの通信部２０へと送信する。
【００４０】
これを受信したサービス制御装置１０１Ａの通信部２０は、デバイス間通信情報設定部２４に設定されている当該サービス制御装置１０１Ａを搭載する通信装置１００Ａの近傍にあるネットワークＡのクライアントＰＣ１に関するネットワーク情報を含んだ、サービス制御装置１０１Ｂの近傍にあるネットワークＢにあるノードのうちクライアントＰＣ１と通信を行うノードのネットワーク情報の取得要求をサービス制御装置１０１Ｂのサービス制御部２５へと応答する。
【００４１】
このとき、サービス制御装置１０１Ｂのサービス制御部２５では、デバイス検索制御部２２へとデバイスの検索要求を行い、デバイス検索制御部２２は、記憶部２３に記憶するサービス制御装置１０１ＢのネットワークＢに存在するデバイスに関するネットワーク情報若しくは通信部２０を介してネットワークＢに存在するデバイスの検索して取得したネットワーク情報をサービス制御部２５へと応答する。
【００４２】
これによって、サービス制御部２５が取得したネットワークＢに存在するデバイスのネットワーク情報を、クライアントＰＣ１と通信を行うデバイス（複合機Ｂ）のネットワーク情報としてサービス制御装置１０１Ａのサービス制御部２５へと応答する。
【００４３】
これによって、サービス制御装置１０１Ａおよびサービス制御装置１０１Ｂそれぞれは通信相手となるノードのネットワーク情報を共有した状態になる。
【００４４】
図３は、本発明の実施の形態における通信システムを構成するサービス提供装置の詳細な構成を示すブロック図である。
【００４５】
図３に示すサービス提供装置は、図１に示すクライアントＰＣ、プリンタ、撮影通信装置などを示し、通信部３０、要求制御部３１、ネットワーク情報管理部３２、通信確立部３３、サービス確認部３４、通信情報登録部３５、サービス処理部３６を具備して構成する。
【００４６】
上記の図２を用いた説明と同様、図１のネットワークＡのクライアントＰＣ１（１０２）とネットワークＢの複合機Ｂ１０５とが情報通信を行う場合を例に説明する。
【００４７】
なお、サービス処理部３６は、提供する処理機能を示し、例えば複合機であればファクシミリ送信機能や画像読取機能等、またクライアントＰＣであれば演算や表示等の情報処理機能、またプリンタであれば印刷機能等を示す。さらに、通信部３０は、情報通信の通信インターフェースを示しており、イーサネット（登録商標）などのネットワーク通信インターフェースや無線ＬＡＮ技術による無線通信インターフェースなどの複数の規格によって構成される。もちろんこれ以外にも、赤外線通信インターフェースなどを装備するような構成であってもよい。
【００４８】
まず、この通信部３０によって、図２に示すような構成からなるサービス制御装置を搭載する通信装置（１００Ａ、１００Ｂ）からネットワーク情報の取得要求を受信すると、要求制御部３１に通知し、要求制御部３１がその要求内容を解析する。ネットワーク情報の取得要求（ポーリング）であると判断すると、ネットワーク情報管理部３２で管理するネットワーク情報を取得して要求元のサービス制御装置へと応答する。
【００４９】
ネットワーク情報管理部３２で管理するネットワーク情報は、当該サービス提供装置をネットワーク上で識別する情報であって、例えばＩＰアドレスやＭＡＣアドレス、装置名称等である。
【００５０】
通信確立部３３は、ネットワーク上にある他のノードとの通信路を確立する処理を行う。ネットワークＡ上のクライアントＰＣ１の通信確立部３３は、第１通信路の確立によって取得した通信相手となるネットワークＢ上の複合機Ｂのネットワーク情報を元に接続要求を行う。このときの接続要求には、ネットワーク情報管理部３２で管理する自機のネットワーク情報（この場合、クライアントＰＣ１のネットワーク情報）が含まれる。
【００５１】
接続要求を受信したネットワークＢ上の複合機Ｂの通信確立部３３は、受信した接続要求に含まれるネットワーク情報を通信情報記憶部３５に記憶するとともに、サービス確認部３４へと複合機Ｂにおける処理機能を提供するサービス処理部３６の動作確認を行う。サービス確認部３４によってサービス処理部３６が提供するサービスの動作確認が行われると、接続応答を行う。
【００５２】
このときの動作確認として、例えば、クライアントＰＣ１による印刷要求に対して複合機Ｂが処理するための対応するプリンタドライバがインストールされている状態にあるか等を確認する。
【００５３】
これによって、ネットワークＡ上のクライアントＰＣ１とネットワークＢ上の複合機Ｂとの間で通信路が確立され、これを上記では第２通信路と示している。
【００５４】
なお、通信情報記憶部３５に記憶したネットワーク情報によって通信相手を認証する処理を行うような構成であってもよい。この場合、認証サーバ（図示せず）へ当該ネットワーク情報を送信し、その認証結果を受信することにより認証できた場合に通信を開始する。
【００５５】
以上のようにして第２通信路が確立されると、クライアントＰＣ１から印刷ジョブを複合機Ｂへと送信して印刷処理を行う。
【００５６】
図４は、本発明の実施の形態における通信システムの処理遷移を示すシーケンス図である。
【００５７】
図４に示すシーケンスは、図１に示すシステム構成における処理遷移であって、通信装置であるモバイル端末ＡがネットワークＡに接続されたクライアントＰＣ１と相互通信可能であり、同様に通信装置であるモバイル端末ＢがネットワークＢに接続された複合機Ｂと相互通信可能である構成における処理の遷移を示している。
【００５８】
通信装置であるモバイル端末Ａとモバイル端末Ｂとの間でデータ通信路（以下、「第１通信路」という）を確立する（４０１）。この第１通信路の確立は、例えばモバイル端末Ｂがモバイル端末Ａに対してポーリングを行い、これにモバイル端末Ａが応答することにより第１通信路を確立する方法や音声通話回線の接続による通信路をデータ通信回線の第１通信路とする方法がある。
【００５９】
このようにして確立された通信路を維持した状態で、モバイル端末Ａは、クライアントＰＣ１に対してネットワークＢに接続された複合機Ｂとデータ送信を行うことを指示する通信要求を行う（４０２）。
【００６０】
この通信要求を受信したクライアントＰＣ１は、予め確立されている第１通信路を介してネットワークＢに接続された複合機Ｂからネットワーク情報を取得するためにモバイル端末Ａに対してネットワーク情報の取得要求を送信する（４０３）。
【００６１】
この取得要求を受信したモバイル端末Ａは、モバイル端末Ｂとの間で確立された第１通信路を介してクライアントＰＣ１からのネットワーク情報の要求を転送する（４０４）。このネットワーク情報の要求には、要求元のクライアントＰＣ１をネットワーク上で識別する識別情報、例えば装置名称、ＩＰアドレス、ＭＡＣアドレスのほか、確立後の通信路を識別する情報（「セションＩＤ」ともいう）等が含まれる。
【００６２】
そして、この取得要求を受信したモバイル端末Ｂは、複合機Ｂに対してポーリング等を行うことにより複合機Ｂを検索する（４０５）。ポーリング等によって複合機Ｂから応答があったモバイル端末Ｂは、モバイル端末Ａから受信したネットワーク情報の要求を転送する。これを受信した複合機Ｂは、記憶するネットワーク情報をモバイル端末Ｂへ応答する（４０６）。
【００６３】
このとき、複合機Ｂでは、ネットワーク情報の要求に含まれる情報を用いて要求元を認証する処理を行う構成であってもよい。この場合、複合機Ｂが認証サーバ（図示せず）に認証要求を行い、認証サーバが要求元であるクライアントＰＣ１が不正な要求元でないことを認証する。この認証によって承認された場合に複合機Ｂがネットワーク情報を送信する。
【００６４】
モバイル端末Ｂでは、ネットワーク情報を複合機Ｂから受信すると、そのネットワーク情報をモバイル端末Ａへと確立した通信路を介して送信する（４０７）。また、モバイル端末Ａは、クライアントＰＣ１へとネットワーク情報を送信する（４０８）。
【００６５】
これによってクライアントＰＣ１は、複合機Ｂのネットワーク情報を有することとなり、また、複合機ＢもクライアントＰＣ１のネットワーク情報を有することとなる。
【００６６】
それぞれが相互のネットワーク情報を用いて情報処理における第２通信路の確立処理を行う（４０９）。この第２通信路の確立処理においてもクライアントＰＣ１がホストとなり、複合機Ｂに対してポーリングを行うことによって確立する。
【００６７】
この第２通信路の確立とともに、動作確認の処理をも行う。具体的には、複合機Ｂを認識して処理を要求するドライバソフトウェア等がクライアントＰＣ１にインストールされているかどうかを確認する。
【００６８】
これによって、動作確認されると、クライアントＰＣ１は、第２通信路を介して複合機Ｂに印刷ジョブを送信する（４１０）。印刷ジョブを受信した複合機Ｂは、その印刷ジョブの印刷処理を行い（４１１）、その結果および処理完了通知をクライアントＰＣ１へと応答する（４１２）。
【００６９】
また、図５には、図４で示すクライアントＰＣ１と複合機Ｂに代えてテレビ会議システム等に設けられる撮影通信機器を設け、また、モバイル端末に代えて表示デバイスを備えるクライアントＰＣを設けた構成における処理遷移を示している。
【００７０】
図５に示す処理遷移のクライアントＰＣ１とクライアントＰＣ２との通信路である第１通信路を確立する処理（４０１）から撮影通信機器Ａと撮影通信機器Ｂとの通信路である第２通信路を確立する処理（４０９）までは図４に示す処理と同様である。
【００７１】
図５では、第２通信路が確立された後に、撮影通信機器間でリアルタイム通信処理を行う（５０１）。
【００７２】
撮影通信機器は、カメラおよび画像データ処理装置から構成されており、カメラで撮影した画像データを画像データ処理装置が処理した後に表示デバイスを備えるクライアントＰＣへと転送して表示させるリアルタイム通信処理である。
【００７３】
なお、本発明は、通信機能を備えた通信システムで上述の動作を実行させ、あるいは上述の手段を構成させるためのプログラムを格納した記録媒体（ＣＤ−ＲＯＭ、ＤＶＤ−ＲＯＭ等）から該プログラムをコンピュータにインストールし、これを実行させることにより、上述の処理を実行する通信システムを構成することも可能である。通信システムを構成するコンピュータは、システムバスを介してＣＰＵ（Central Processor Unit）、ＲＯＭ（Read Only Memory）、ＲＡＭ（Random Access Memory）、ハードディスクが接続されている。ＣＰＵは、ＲＯＭまたはハードディスクに記憶されているプログラムに従い、ＲＡＭを作業領域にして処理を行う。
【００７４】
また、プログラムを供給するための媒体は、通信媒体（通信回線、通信システムのように一時的または流動的にプログラムを保持する媒体）でもよい。例えば、通信ネットワークの電子掲示板（ＢＢＳ：Bulletin Board Service）に該プログラムを掲示し、これを通信回線を介して配信するようにしてもよい。
【００７５】
本発明は、上記し、且つ図面に示す実施例に限定することなく、その要旨を変更しない範囲内で適宜変形して実施できるものである。
【図面の簡単な説明】
【００７６】
【図１】本発明の実施の形態における通信システムおよびプログラムを適用して構成した通信システムのシステム構成図の一例。
【図２】本発明の実施の形態における通信システムを構成する通信端末の詳細な構成を示すブロック図。
【図３】本発明の実施の形態における通信システムを構成するサービス提供装置の詳細な構成を示すブロック図。
【図４】本発明の実施の形態における通信システムの処理遷移を示すシーケンス図。
【図５】本発明の実施の形態における通信システムの処理遷移を示すシーケンス図。
【符号の説明】
【００７７】
１００      通信装置
１０１      サービス制御装置
１０２      クライアントＰＣ１
１０３      撮影通信装置Ａ
１０４      プリンタＡ
１０５      複合機Ｂ
１０６      クライアントＰＣ２
１０７      撮影通信機器Ｂ
２０        通信部
２１        通信確立部
２２        デバイス検索制御部
２３        記憶部
２４        デバイス間通信情報設定部
２５        サービス制御部
２６        操作部
２７        表示部
３０        通信部
３１        要求制御部
３２        ネットワーク情報管理部
３３        通信確立部
３４        サービス確認部
３５        通信情報登録部
３６        サービス処理部
【図１】
2009225166.tif 000003
【図２】
2009225166.tif 000004
【図３】
2009225166.tif 000005
【図４】
2009225166.tif 000006
【図５】
2009225166.tif 000007